(57)【要約】【課題】除菌装置の寿命を延ばすことができる給湯機を提供する。【解決手段】給湯機は、浴水の水位を検出するセンサと、浴水の流路において浴水を除菌する除菌装置と、センサに検出された水位の変化から入浴パターンを学習し、入浴パターンから予め設定された期間内における除菌装置の積算浴水除菌動作時間を推定し、積算浴水除菌動作時間が予め設定された上限時間を超える場合は、予め設定された期間内における除菌装置の動作時間が上限時間を超えないように、除菌装置を動作させる制御部と、を備えた。【選択図】図１
2020091042.tif 000002
【特許請求の範囲】
【請求項１】
浴水の水位を検出するセンサと、
浴水の流路において浴水を除菌する除菌装置と、
前記センサに検出された水位の変化から入浴パターンを学習し、当該入浴パターンから予め設定された期間内における前記除菌装置の積算浴水除菌動作時間を推定し、当該推定した積算浴水除菌動作時間が予め設定された上限時間を超えると判断した場合は、予め設定された期間内における前記除菌装置の動作時間が前記上限時間を超えないように、前記除菌装置の動作時間を判断前よりも抑制する制御部と、
を備えた給湯機。
【請求項２】
前記制御部は、予め設定された期間内の前記除菌装置の動作時間に対し、前記上限時間と前記上限時間よりも短い判定時間とを設定し、学習した入浴パターンから、前記判定時間に達した時刻において予め設定された期間内における前記除菌装置の積算浴水除菌動作時間が前記上限時間に到達すると推定した場合は、予め設定された期間内における前記除菌装置の動作時間が前記上限時間を超えないように、前記除菌装置を動作させる請求項１に記載の給湯機。
【請求項３】
前記制御部は、学習した入浴パターンから、前記判定時間に達した時刻において予め設定された期間内における前記除菌装置の積算浴水除菌動作時間が前記上限時間に到達すると推定した場合は、前記除菌装置の運転を断続運転に切り替える請求項２に記載の給湯機。
【請求項４】
前記制御部は、過去において予め設定された期間内の前記除菌装置の積算浴水除菌動作時間の実績が前記上限時間に到達せず、現在において予め設定された期間内の前記除菌装置の積算浴水除菌動作時間が前記上限時間に到達すると推定した場合は、前記上限時間と過去において予め設定された期間内の積算浴水除菌動作時間の実績の差分である余剰時間を現在の前記上限時間に上乗せする請求項３に記載の給湯機。
【請求項５】
前記制御部は、前記除菌装置の運転を断続運転に切り替えるタイミングを前記余剰時間の分だけ遅らせる請求項４に記載の給湯機。
【請求項６】
前記制御部は、前記判定時間が複数の候補の中から選択されるように設けられた請求項２から請求項５のいずれか一項に記載の給湯機。
【請求項７】
前記制御部は、予め設定された期間内の前記除菌装置の積算浴水除菌動作時間が前記上限時間に到達すると推定した場合は、ガイダンスをリモコン装置に報知させる請求項２から請求項６のいずれか一項に記載の給湯機。
【請求項８】
前記制御部は、前記除菌装置の動作時間の合計が前記除菌装置の動作寿命時間から前記除菌装置の交換に要する猶予時間を差し引いた時間に到達した場合は、前記除菌装置の運転を断続運転に切り替え、前記除菌装置が寿命間近である旨をリモコン装置に報知させる請求項２から請求項６のいずれか一項に記載の給湯機。
【請求項９】
前記制御部は、前記除菌装置の運転の状態をリモコン装置に報知させる請求項２から請求項６のいずれか一項に記載の給湯機。
【発明の詳細な説明】
【技術分野】
【０００１】
この発明は、給湯機に関する。
【背景技術】
【０００２】
特許文献１は、給湯機を開示する。当該給湯機は、除菌装置を備える。当該除菌装置は、入浴パターンに基づいて浴水を除菌する。このため、浴水を衛生的に保つことができる。
【先行技術文献】
【特許文献】
【０００３】
【特許文献１】特開平１１−４７０１２号公報
【発明の概要】
【発明が解決しようとする課題】
【０００４】
しかしながら、特許文献１に記載の給湯機において、除菌装置が酷使される場合もある。この場合、除菌装置の寿命が給湯機の寿命に比べて短くなることもある。
【０００５】
この発明は、上述の課題を解決するためになされた。この発明の目的は、除菌装置の寿命を延ばすことができる給湯機を提供することである。
【課題を解決するための手段】
【０００６】
この発明に係る給湯機は、浴水の水位を検出するセンサと、浴水の流路において浴水を除菌する除菌装置と、センサに検出された水位の変化から入浴パターンを学習し、入浴パターンから予め設定された期間内における除菌装置の積算浴水除菌動作時間を推定し、積算浴水除菌動作時間が予め設定された上限時間を超える場合は、予め設定された期間内における除菌装置の動作時間が上限時間を超えないように、除菌装置の動作時間を判断前よりも抑制する制御部と、を備えた。
【発明の効果】
【０００７】
この発明によれば、除菌装置の寿命を延ばすことができる。
【図面の簡単な説明】
【０００８】
【図１】実施の形態１における給湯機の構成図である。
【図２】実施の形態１における給湯機の除菌運転時の回路構成図である。
【図３】実施の形態１における給湯機の紫外線照射装置として紫外線ＬＥＤが使用された際の除菌効果を示す図である。
【図４】実施の形態１における給湯機による入浴判定のタイムチャートである。
【図５】実施の形態１における給湯機による入浴パターンの学習例のタイムチャートである。
【図６】実施の形態１における給湯機による除菌装置の制御例を示すタイムチャートである。
【図７】実施の形態１における給湯機による除菌装置の制御例を示すタイムチャートである。
【図８】実施の形態１における給湯機が適用される浴水の菌増殖率の例を示す図である。
【図９】実施の形態１における給湯機による制御例を示す図である。
【図１０】実施の形態１における給湯機の余剰時間と積算除菌運転時間を示す図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１における給湯機の構成図である。図１の給湯機３５は、湯水を浴槽３０などに供給する装置である。給湯機３５は、タンクユニット３３とＨＰユニット７とリモコン装置４４とを備える。タンクユニット３３は、貯湯タンク８を備える。貯湯タンク８は、湯水を貯留する。ＨＰユニット７は、タンクユニット３３と図示されない電気配線を介して接続される。図示されないが、リモコン装置４４は、表示部、操作部、スピーカー、マイク等を搭載する。例えば、表示部は、給湯機３５の状態の情報を表示する。例えば、操作部は、使用者が操作するスイッチである。例えば、スピーカーは、音声、音等で使用者に情報を報知する。リモコン装置４４は、設定値の変更操作を受け付けたり運転動作指令を出力したりする。
【００１１】
制御部３６は、タンクユニット３３に内蔵される。制御部３６は、リモコン装置４４と相互通信可能に接続される。制御部３６は、タンクユニット３３とＨＰユニット７とが備える各種弁類、ポンプ類等と電気的に接続される。制御部３６は、タンクユニット３３とＨＰユニット７とが備える各種弁類、ポンプ類等の作動を制御する。
【００１２】
タンクユニット３３は、水導入口８ａ、温水導出口８ｄ、温水導入口８ｅ、中温水導出口８ｆ、複数の貯湯温度センサ４１、４２、４３を備える。水導入口８ａは、貯湯タンク８の下部に設けられる。水導入口８ａは、水道等の水源から供給される水の貯湯タンク８の内部への流入を受け付ける。温水導出口８ｄは、貯湯タンク８の上部に設けられる。温水導出口８ｄは、貯湯タンク８の内部に貯留された湯を給湯機３５の外部へ供給する。温水導入口８ｅは、貯湯タンク８の上部に設けられる。温水導入口８ｅは、ＨＰユニット７からの高温湯の貯湯タンク８への内部への流入を受け付ける。中温水導出口８ｆは、貯湯タンク８の中央に設けられる。中温水導出口８ｆは、貯湯タンク８の内部に貯留された湯を給湯機３５の外部へ供給する。複数の貯湯温度センサ４１、４２、４３は、貯湯タンク８の表面において中温水導出口８ｆ近傍とその上下方向に高さを変えて取り付けられる。貯湯温度センサ４１、４２、４３は、それぞれの位置の湯水の温度を検出する。
【００１３】
タンクユニット３３は、三方弁１１、第１四方弁１６、第２四方弁１８を備える。三方弁１１は、ａポートとｂポートとｃポートとを備える。三方弁１１は、ａポートとｃポートとをつなぐ流路、ｂポートとｃポートとをつなぐ流路の間で切り替え自在に設けられる。湯水は、ａポート、ｂポートから流入する。湯水は、ｃポートから流出する。第１四方弁１６は、ａポートとｂポートとｃポートとｄポートとを備える。第１四方弁１６は、ａポートとｃポートとをつなぐ流路、ａポートとｄポートとをつなぐ流路、ｂポートとｃポートとをつなぐ流路、ｂポートとｄポートとをつなぐ流路の間で切り替え自在に設けられる。湯水は、ａポート、ｂポートから流入する。湯水は、ｃポート、ｄポートから流出する。第２四方弁１８は、ａポートとｂポートとｃポートとｄポートとを備える。第２四方弁１８は、ａポートとｂポートとをつなぐ流路、ａポートとｃポートとをつなぐ流路、ａポートとｄポートとをつなぐ流路の間で切り替え自在に設けられる。湯水は、ａポート、から流入する。湯水は、ｂポート、ｃポート、ｄポートから流出する。
【００１４】
タンクユニット３３は、水導出口配管１０、第１送水配管１３ａ、ＨＰ往き配管１４、ＨＰ戻り配管１５、第２送水配管１３ｂ、第１温水配管１７ａ、第３温水配管１９ａ、第４温水配管１９ｂ、第５温水配管１９ｃを備える。水導出口配管１０は、水導出口８ｂと三方弁１１のａポートとを接続する。第１送水配管１３ａは、三方弁１１のｃポートと熱源ポンプ１２の入口側とを接続する。ＨＰ往き配管１４は、熱源ポンプ１２の出口側とＨＰユニット７の入口側とを接続する。ＨＰ戻り配管１５は、ＨＰユニット７の出口側と第１四方弁１６のｂポートとを接続する。第２送水配管１３ｂは、ＨＰ往き配管１４において熱源ポンプ１２とＨＰユニット７の入口側との間から分岐し、第１四方弁１６のａポートに接続される。第１温水配管１７ａは、第１四方弁１６のｄポートと第２四方弁１８のａポートとを接続する。第３温水配管１９ａは、第２四方弁１８のｂポートと温水導入口８ｅとを接続する。第４温水配管１９ｂは、第２四方弁１８のｄポートと温水導出口８ｄとを接続する。第５温水配管１９ｃは、第２四方弁１８のｃポートと中温水導入口８ｇとを接続する。
【００１５】
タンクユニット３３は、第１給水配管９ａ、減圧弁３１、第２給水配管９ｂ、中温水切換弁７８、第３給水配管９ｃ、第４給水配管９ｄ、中温配管７９を備える。第１給水配管９ａの一端は、水道等の水源に接続される。減圧弁３１は、第１給水配管９ａの他端に接続される。第２給水配管９ｂの一端は、減圧弁３１に接続される。中温水切換弁７８のａポートは、第２給水配管９ｂの他端に接続される。第３給水配管９ｃの一端は、第２給水配管９ｂの途中に接続される。第３給水配管９ｃの他端は、水導入口８ａに接続される。第１給水配管９ａ、第２給水配管９ｂ、第３給水配管９ｃによって、給水管路が構成される。第４給水配管９ｄの一端は、中温水切換弁７８のｃポートに接続される。中温配管７９の一端は、中温水導出口８ｆに接続される。中温配管７９の他端は、中温水切換弁７８のｂポートに接続される。
【００１６】
タンクユニット３３は、ふろ往き配管２７、ふろ戻り配管２８、熱源ポンプ１２、ふろ用熱交換器２０を備える。ふろ往き配管２７の一端とふろ戻り配管２８の一端とは、浴槽３０に接続される。熱源ポンプ１２は、第１送水配管１３ａに設けられる。熱源ポンプ１２は、タンクユニット３３の内部の各種配管に湯水を循環させる。ふろ用熱交換器２０は、ふろ往き配管２７の他端とふろ戻り配管２８の他端とに接続される。ふろ用熱交換器２０は、貯湯タンク８から供給される高温湯を利用し２次側の対象水（浴水）を加熱したり、貯湯タンク８の下部から供給される低温水を利用して２次側の対象水（浴水）から熱を回収して冷却したりする。
【００１７】
タンクユニット３３は、ふろ循環ポンプ２９、ふろ戻り温度センサ３８、ふろ往き温度センサ３７、水位センサ４６、フロースイッチ４７を備える。例えば、ふろ循環ポンプ２９とふろ戻り温度センサ３８と水位センサ４６とフロースイッチ４７とは、ふろ戻り配管２８の途中に設けられる。例えば、ふろ往き温度センサ３７は、ふろ往き配管２７の途中に設けられる。ふろ循環ポンプ２９は、浴水を循環させる。ふろ戻り温度センサ３８は、浴槽３０から出た浴水の温度を検出する。ふろ往き温度センサ３７は、ふろ用熱交換器２０から出た熱交換後の湯の温度を検出する。水位センサ４６は、浴槽３０の内部の残水の水位レベルを検出する。フロースイッチ４７は、ふろ戻り配管２８における水の循環を検知する。
【００１８】
タンクユニット３３は、第１タンク循環配管２０ａ、第３タンク循環配管２０ｃ、第２タンク循環配管２０ｂを備える。第１タンク循環配管２０ａの一端は、温水導入口８ｅに接続される。第１タンク循環配管２０ａの他端は、ふろ用熱交換器２０の１次側入口に接続される。第３タンク循環配管２０ｃの一端は、ふろ用熱交換器２０の１次側出口に接続される。第３タンク循環配管２０ｃの他端は、三方弁１１のｂポートに接続される。第２タンク循環配管２０ｂの一端は、第３タンク循環配管２０ｃの途中に接続される。第２タンク循環配管２０ｂの他端は、中温配管７９の途中に接続される。
【００１９】
タンクユニット３３は、逆止弁５０、温水導出配管２１、給湯用混合弁２２、ふろ用混合弁２３、給湯栓３４、給湯配管２４、風呂配管２５、ふろ用電磁弁２６を備える。逆止弁５０は、第２タンク循環配管２０ｂにおいて貯湯タンク８の中間部から貯湯タンク８の下部へ向かう流れを阻害する方向に設けられる。温水導出配管２１の一端は、温水導出口８ｄの合流地点に接続される。給湯用混合弁２２の湯側は、温水導出配管２１の他端に接続される。給湯用混合弁２２の水側は、第４給水配管９ｄの他端に接続される。ふろ用混合弁２３の湯側は、温水導出配管２１の他端に接続される。ふろ用混合弁２３の水側は、第４給水配管９ｄの他端に接続される。給湯栓３４は、使用者が使用するシャワー、カラン等の図示されない蛇口に接続される。給湯配管２４の一端は、給湯用混合弁２２に接続される。給湯配管２４の他端は、給湯栓３４に接続される。風呂配管２５の一端は、ふろ用混合弁２３に接続される。ふろ用電磁弁２６は、風呂配管２５の他端とふろ用熱交換器２０とに接続される。
【００２０】
給湯用混合弁２２は、温水導出配管２１から供給される高温湯と第４給水配管９ｄから供給される低温水もしくは中温水との流量比を調整する。その結果、使用者がリモコン装置４４にて設定した設定温度の湯が生成される。当該湯は、給湯配管２４に流入する。当該湯は、給湯栓３４を経由して使用者が使用するシャワー、カラン等の図示されない蛇口に供給される。
【００２１】
ふろ用混合弁２３は、温水導出配管２１から供給される高温湯と第４給水配管９ｄから供給される低温水もしくは中温水との流量比を調整する。その結果、使用者がリモコン装置４４にて設定した設定温度、設定湯量の湯が生成される。当該湯は、風呂配管２５に流入する。当該湯は、ふろ用電磁弁２６、ふろ用流量センサ４５、ふろ往き配管２７、ふろ戻り配管２８を経由して浴槽３０へ供給される。リモコン装置４４には、風呂自動運転が備えられる。風呂自動運転が設定されると、浴水の温度、浴槽湯量がリモコン装置４４で設定された温度、湯量に維持されるように、必要に応じて浴水の昇温、冷却、たし湯、さし水が行われる。
【００２２】
ＨＰユニット７は、タンクユニット３３が備える貯湯タンク８から導かれた低温水等を加熱するための加熱手段として機能する。ＨＰユニット７は、圧縮機１、水冷媒熱交換器３、膨張弁４、空気熱交換器６を冷媒循環配管５にて環状に接続することにより、ヒートポンプサイクルを構成する。水冷媒熱交換器３は、冷媒循環配管５を流れる冷媒とタンクユニット３３から導かれた低温水との間で熱交換を行う。水冷媒熱交換器３の構成として、冷媒循環配管５を流れる冷媒と水道等の水源から直接供給される低温水と熱交換してもよい。
【００２３】
給湯機３５において、ＨＰユニット７を用いて加熱された高温湯は、温水導入口８ｅから貯湯タンク８に流入する。水道等の水源から供給される低温水は、第１給水配管９ａより減圧弁３１で予め設定された圧力に調整された上で、第３給水配管９ｃを通って貯湯タンク８の内部に流入する。その結果、貯湯タンク８は、上下部で温度差が生じるように湯水を貯留する。制御部３６は、貯湯温度センサ４１、４２、４３の検出結果に基づいて貯湯タンク８の内部の湯水の温度分布を検出する。その結果、制御部３６は、当該温度分布の検出結果に基づいて貯湯タンク８の内部の残湯量を把握する。制御部３６は、当該残湯量に基づいてＨＰユニット７による貯湯タンク８の内部の湯水の沸上運転の開始、停止などを制御する。
【００２４】
例えば、制御部３６は、ＨＰユニット７の運転を開始することにより沸上運転を実行する。その結果、貯湯タンク８の下部から流出する低温水は、ＨＰ往き配管１４を経由してＨＰユニット７に導かれる。当該低温水は、水冷媒熱交換器３において加熱された後、高温水となる。当該高温水は、ＨＰ戻り配管１５を経由して貯湯タンク８の上部から当該貯湯タンク８の内部に流入して貯えられる。当該沸上運転が実行されることで、高温水は、貯湯タンク８の内部においては、上層部から貯えられていく。当該高温水の層は、徐々に厚くなっていく。貯湯温度センサ４１、４２、４３により把握される貯湯タンク８の内部の残湯量が予め設定した量を超えると、制御部３６は、沸上運転を停止する。
【００２５】
図２は実施の形態１における給湯機の除菌運転時の回路構成図である。除菌運転時において、ふろ循環ポンプ２９が動作を開始すると、浴水の循環が開始される。その後、除菌装置４９が動作することで、浴水の除菌が行われる。例えば、除菌装置４９は、紫外線照射装置、オゾン発生装置、重金属イオン発生装置、超音波発生装置、微細気泡発生装置などである。
【００２６】
図３は実施の形態１における給湯機の紫外線照射装置として紫外線ＬＥＤが使用された際の除菌効果を示す図である。図３に示されるように、紫外線が浴水に照射されることにより、浴水の除菌が行われる。
【００２７】
図４は実施の形態１における給湯機による入浴判定のタイムチャートである。制御部３６は、水位センサ４６による浴槽３０の内部の水位の検出結果に基づいて使用者の入浴有無を判定する。制御部３６は、水位の急激な増減を検出し、水位の急激な減少からΔｔだけ経過したときまでを入浴と判定する。例えば、制御部３６は、水位の急激な減少から３０分が経過したときまでを入浴と判定する。制御部３６は、時刻データとともに入浴判定結果のデータを保存する。Δｔは、使用者が入浴中に除菌装置４９が動作することを抑制するように設定される。例えば、Δｔは、使用者が体を洗うために短時間だけ出浴する際に除菌装置４９が動作することを抑制するように設定される。
【００２８】
制御部３６は、使用者の入浴有無の判定結果に基づいて、使用者の入浴前の時間に合わせて除菌運転を開始する。その後、制御部３６は、浴水の水位の変化を検出した場合に使用者が入浴中であると判定する。この場合、制御部３６は、除菌運転を停止する。
【００２９】
図５は実施の形態１における給湯機による入浴パターンの学習例のタイムチャートである。制御部３６は、使用者の入浴有無の判定結果を曜日ごとに積算して入浴度数を導出する。制御部３６は、入浴度数が大きい時間帯を導出する。制御部３６は、当該時間帯を使用者が入浴する時間帯と判定する。
【００３０】
図６と図７とは実施の形態１における給湯機による除菌装置の制御例を示す図である。制御部３６は、除菌装置４９への通電時間から積算浴水除菌動作時間をカウントする。人間の生活パターンの区切りである判定期間内の除菌装置４９の積算浴水除菌動作時間に対し、除菌装置４９の寿命時間を給湯機３５の製品寿命で除算し当該判定期間を積算した上限時間と当該上限時間よりも少ない任意の判定時間とを設定する。
【００３１】
例えば、除菌装置４９の寿命時間が１１，０００時間、給湯機３５の製品寿命が１５年、判定期間が１週間である場合、上限時間は、１日当たり２時間の１４時間である。この場合、判定時間は、１４時間以下に設定される。
【００３２】
判定時間が長ければ、除菌装置４９の運転時間が長くなる。この場合、入浴機会の少ない使用者に対しては、常に浴水が除菌状態となる。判定時間が短ければ、除菌装置４９の運転時間が短くなる。この場合、除菌装置４９の寿命が相対的に延びる。
【００３３】
除菌動作時において、「入浴時間の１時間前から動作させる」等の制御が実施されている場合、制御部３６は、学習した入浴パターンから予め設定された期間内の除菌装置４９の積算浴水除菌動作時間を推定する。制御部３６は、予め設定された期間内の除菌装置４９の動作時間が上限時間に到達する否かを判定時間に到達した時刻に判定する。制御部３６は、予め設定された期間内の除菌装置４９の積算浴水除菌動作時間が上限時間に到達すると判定した場合にリモコン装置４４を介して使用者に報知する。この際、図７に示されるように、制御部３６は、除菌装置４９の運転を断続運転に切り替える。例えば、制御部３６は、断続運転として、浴水除菌を３０分間実施し、浴水除菌を６０分間停止させる。
【００３４】
図８は実施の形態１における給湯機が適用される浴水の菌増殖率の例を示す図である。図８は、ワンパス除菌率８０％、循環流量８Ｌ／ｍｉｎ、浴水２００Ｌにおける浴水の菌増殖率を示す。図８に示されるように、浴水除菌が３０分間実施され、浴水除菌が６０分間停止される場合、浴水の菌増殖率の増加が抑制される。この場合、１日の積算浴水除菌動作時間が２時間とすると、３０分浴水除菌を４回実施することができる。１回の３０分浴水除菌により１．５時間、浴水の菌の増殖が抑制される。このため、６時間の湯はり時間において、浴水の菌の増殖が抑制される。
【００３５】
図９は実施の形態１における給湯機による制御例を示す図である。制御部３６は、予め設定された期間内の積算浴水除菌動作時間が上限時間に到達すると推定した場合、リモコン装置４４にガイダンスを表示により報知させる。その後、制御部３６は、除菌装置４９を断続運転へ切り替える。
【００３６】
図１０は実施の形態１における給湯機の余剰時間と積算除菌運転時間を示す図である。
【００３７】
制御部３６は、過去において予め設定された期間内の積算浴水除菌動作時間の実績が上限時間に到達せず、現在において予め設定された期間内の積算浴水除菌動作時間が上限時間に到達すると推定した場合、上限時間と過去において予め設定された期間内の積算浴水除菌動作時間との差分である余剰時間を現在の上限時間に上乗せする。この際、制御部３６は、リモコン装置４４にガイダンスを表示させることで断続運転への切り替えの有無を使用者に確認する。
【００３８】
以上で説明した実施の形態１によれば、制御部３６は、予め設定された期間内における除菌装置４９の動作時間が上限時間を超えないように、除菌装置４９を動作させる。このため、除菌装置４９の寿命を延ばすことができる。
【００３９】
また、制御部３６は、判定時間に達した時刻において予め設定された期間内における除菌装置４９の積算浴水除菌動作時間が上限時間に到達すると推定した場合は、予め設定された期間内における除菌装置４９の動作時間が上限時間を超えないように、除菌装置４９を動作させる。このため、除菌装置４９の寿命をより確実に延ばすことができる。
【００４０】
具体的には、制御部３６は、判定時間に達した時刻において予め設定された期間内における除菌装置４９の積算浴水除菌動作時間が上限時間に到達すると推定した場合は、除菌装置４９の運転を断続運転に切り替える。このため、簡単な制御で、除菌装置４９の寿命をより確実に延ばすことができる。
【００４１】
また、制御部３６は、過去において予め設定された期間内の除菌装置４９の積算浴水除菌動作時間の実績が上限時間に到達せず、現在において予め設定された期間内の除菌装置４９の積算浴水除菌動作時間が上限時間に到達すると推定した場合は、上限時間と過去において予め設定された期間内の積算浴水除菌動作時間の実績の差分である余剰時間を現在の上限時間に上乗せする。このため、予め設定された期間により除菌装置４９の使用頻度が異なる場合でも、除菌装置４９の長寿命化を確保しながら、浴水を衛生的に保つことができる。
【００４２】
なお、制御部３６は、除菌装置４９の運転を断続運転に切り替えるタイミングを余剰時間の増加分だけ遅らせる。このため、除菌装置４９の長寿命化を確保しながら、浴水を衛生的により確実に保つことができる。
【００４３】
なお、制御部３６において、複数の候補の中から判定時間を選択してもよい。例えば、リモコン装置４４の操作に基づいて複数の候補の中から判定時間を選択してもよい。この場合、使用者の入浴パターンに応じて、除菌装置４９を適切に使用することができる。
【００４４】
また、制御部３６は、予め設定された期間内の除菌装置４９の積算浴水除菌動作時間が上限時間に到達すると推定した場合は、ガイダンスをリモコン装置４４に報知させる。このため、除菌装置４９の使用頻度が高いことを使用者に知らせることができる。
【００４５】
なお、制御部３６は、除菌装置４９の動作時間の合計が除菌装置４９の動作寿命時間から予め設定された時間を差し引いた時間に到達した場合は、除菌装置４９の運転を断続運転に切り替え、除菌装置４９が寿命間近であり対応が必要な旨をリモコン装置４４に報知させてもよい。この場合、除菌装置４９の寿命により浴水を衛生的に保つことできなくなることを抑制できる。
【００４６】
なお、予め設定された時間は、寿命となる除菌装置を交換するために使用者が要する猶予時間としてもよい。例えば、予め設定された期間は、販売店、サービスセンタに修理を依頼して修理を完了できるまでの期間としてもよい。例えば、予め設定された期間は、１か月、２週間等、入浴パターンに応じて適宜設定してもよい。
【００４７】
また、制御部３６により、除菌装置４９の運転の状態をリモコン装置４４に常に報知させてもよい。このため、除菌装置４９が連続運転と断続運転とのうちのどちらの運転を行っているのかを使用者に知らせることができる。
【符号の説明】
【００４８】
１  圧縮機
３  水冷媒熱交換器
４  膨張弁
５  冷媒循環配管
６  空気熱交換器
７  ＨＰユニット
８  貯湯タンク
８ａ  水導入口
８ｂ  水導出口
８ｃ  水導入口
８ｄ  温水導出口
８ｅ  温水導入口
８ｆ  中温水導出口
８ｇ  中温水導入口
９ａ  第１給水配管
９ｂ  第２給水配管
９ｃ  第３給水配管
９ｄ  第４給水配管
１０  水導出口配管
１１  三方弁
１２  熱源ポンプ
１３ａ  第１送水配管
１３ｂ  第２送水配管
１４  ＨＰ往き配管
１５  ＨＰ戻り配管
１６  第１四方弁
１７ａ  第１温水配管
１７ｂ  第２温水配管
１８    第２四方弁
１９ａ  第３温水配管
１９ｂ  第４温水配管
１９ｃ  第５温水配管
２０  ふろ用熱交換器
２０ａ  第１タンク循環配管
２０ｂ  第２タンク循環配管
２０ｃ  第３タンク循環配管
２１  温水導出配管
２２  給湯用混合弁
２３  ふろ用混合弁
２４  給湯配管
２５  風呂配管
２６  ふろ用電磁弁
２７  ふろ往き配管
２８  ふろ戻り配管
２９  ふろ循環ポンプ
３０  浴槽
３１  減圧弁
３３  タンクユニット
３４  給湯栓
３５  給湯機
３６  制御部
３７  ふろ往き温度センサ
３８  ふろ戻り温度センサ
４１  貯湯温度センサ
４２  貯湯温度センサ
４３  貯湯温度センサ
４４  リモコン装置
４５  ふろ用流量センサ
４６  水位センサ
４７  フロースイッチ
４９  除菌装置
５０  逆止弁
７８  中温水切換弁
７９  中温配管
【図１】
2020091042.tif 000003
【図２】
2020091042.tif 000004
【図３】
2020091042.tif 000005
【図４】
2020091042.tif 000006
【図５】
2020091042.tif 000007
【図６】
2020091042.tif 000008
【図７】
2020091042.tif 000009
【図８】
2020091042.tif 000010
【図９】
2020091042.tif 000011
【図１０】
2020091042.tif 000012